(57)【要約】【課題】処理容器内の高周波電極その他の電気的部材から給電ラインや信号線等の線路上に入ってくる有害な複数の周波数の高周波ノイズに対して、効率的かつ安定確実に十分高いインピーダンスを与えて、プラズマプロセスの再現性・信頼性を向上させる。【解決手段】フィルタユニット５４(IN)は、接地された円筒状の導電性筺体１０４の中に、空芯コイルＡＬ1，ＢＬ1、第１のコンデンサＡＣ1，ＢＣ1、トロイダルコイルＡＬ2，ＢＬ2および第２のコンデンサＡＣ2，ＢＣ2を上から下にこの順序で配置している。ここで、空芯コイルＡＬ1（ＢＬ1）、第１のコンデンサＡＣ1（ＢＣ1）、トロイダルコイルＡＬ2（ＢＬ2）および第２のコンデンサＡＣ2（ＢＣ2）はヒータ電源の一方（他方）の出力端子と内側発熱線の一方（他方）の端子とを電気的に結ぶ第１（第２）の給電ライン上にあり、内側発熱線側から見て空芯コイルＡＬ1（ＢＬ1）が初段に設けられる。【選択図】図２
2014056706.tif 000002
【特許請求の範囲】
【請求項１】
プラズマ処理が行われる処理容器内の所定の電気的部材に線路を介して電気的に接続される電力系または信号系の外部回路を有し、前記電気的部材から前記外部回路に向かって前記線路に入ってくる第１の周波数を有する第１の高周波のノイズおよび前記第１の周波数よりも低い第２の周波数を有する第２の高周波のノイズを前記線路上に設けたフィルタによって減衰させ、または阻止するプラズマ処理装置であって、
前記フィルタが、
前記電気的部材側から見て初段に設けられる空芯コイルと、
前記空芯コイルと直列に接続されるトロイダルコイルと、
前記空芯コイルおよび前記トロイダルコイルを収容または包囲する導電性の筺体と、
前記空芯コイルと前記トロイダルコイルとの間の接続点と前記筺体との間に電気的に接続される第１のコンデンサと、
前記トロイダルコイルの前記外部回路側の端子と前記筺体との間に電気的に接続される第２のコンデンサと
を有する、
プラズマ処理装置。
【請求項２】
プラズマ処理が行われる処理容器内に被処理基板を保持する第１の電極とこれと対向する第２の電極とを配設し、第１の周波数を有する第１の高周波を出力する第１の高周波電源を前記第１の電極または前記第２の電極に電気的に接続するとともに、前記第１の高周波よりも低い第２の周波数を有する第２の高周波を出力する第２の高周波電源を前記第１の電極に電気的に接続し、前記第１の電極に設けられる発熱体とこの発熱体に電力を供給するヒータ電源とを電気的に接続する給電ライン上に前記発熱体を介して入ってくる前記第１および第２の高周波のノイズを減衰させ、または阻止するためのフィルタを設けているプラズマ処理装置であって、
前記フィルタが、
前記発熱体側から見て初段に設けられる空芯コイルと、
前記空芯コイルと直列に接続されるトロイダルコイルと、
前記空芯コイルおよび前記トロイダルコイルを収容または包囲する導電性の筺体と、
前記空芯コイルと前記トロイダルコイルとの間の接続点と前記筺体との間に電気的に接続される第１のコンデンサと、
前記トロイダルコイルの前記ヒータ電源側の端子と前記筺体との間に電気的に接続される第２のコンデンサと
を有する、
プラズマ処理装置。
【請求項３】
前記給電ラインが、前記発熱体の両端にそれぞれ接続される第１および第２の給電導線を有し、
前記空芯コイルが、前記第１の給電導線の一部を構成する第１のコイル単体と、前記第２の給電導線の一部を構成する第２のコイル単体とを含み、
前記外導体の内側で、前記第１および第２のコイル単体をそれぞれ構成する第１および第２のコイル導線が並進しながら略等しい巻線長で螺旋状に巻かれ、
前記トロイダルコイルが、前記第１の給電導線の一部を構成する第３のコイル単体と、前記第２の給電導線の一部を構成する第４のコイル単体とを含み、
前記第３および第４のコイル単体が、共通のトロイダルコア内で磁束の向きが揃うように前記トロイダルコアに略等しい巻線長で螺旋状に巻かれる、
請求項２に記載のプラズマ処理装置。
【請求項４】
前記第１の高周波は、主として前記処理容器内で処理ガスのプラズマを生成するのに寄与し、
前記第２の高周波は、主として前記プラズマから前記第１の電極に載置される前記被処理基板へのイオンの引き込みに寄与する、
請求項２または請求項３に記載のプラズマ処理装置。
【請求項５】
前記フィルタの等価回路において、前記空芯コイルの周囲に発生する第１のコイル線間容量および前記空芯コイルと前記筺体との間に発生する第１の浮遊容量が前記空芯コイルの正味の誘導性素子としての第１のインダクタに並列に接続されるとともに、前記トロイダルコイルの周囲に発生する第２のコイル線間容量および前記トロイダルコイルと前記筺体との間に発生する第２の浮遊容量が前記トロイダルコイルの正味の誘導性素子としての第２のインダクタに並列に接続され、
前記第１のインダクタと前記第１のコイル線間容量および前記第１の浮遊容量とによって、前記第１の周波数に一致または近接する第１の並列共振周波数を有する第１の並列共振回路が形成され、
前記第２のインダクタと前記第２のコイル線間容量および前記第２の浮遊容量とによって、前記第２の周波数に一致または近接する第２の並列共振周波数を有する第２の並列共振回路が形成される、
請求項１〜４のいずれか一項に記載のプラズマ処理装置。
【請求項６】
前記第１のインダクタと前記第１のコンデンサと前記第２のインダクタと前記第２のコイル線間容量および前記第２の浮遊容量と前記第２のコンデンサとによって、前記第２の周波数と前記第１の周波数の中間に第１の直列共振周波数を有する第１の直列共振回路が形成され、
前記第２のインダクタと前記第２のコンデンサとによって、前記第２の周波数よりも低い第２の直列共振周波数を有する第２の直列共振回路が形成される、
請求項５に記載のプラズマ処理装置。
【請求項７】
前記空芯コイルの自己共振周波数が前記第１の周波数に一致または近接するように、前記空芯コイルが構成されている、請求項１〜４のいずれか一項記載のプラズマ処理装置。
【請求項８】
前記空芯コイルの自己共振周波数が前記第１の周波数に一致または近接するように、前記空芯コイルの巻数が調整されている、請求項７に記載のプラズマ処理装置。
【請求項９】
前記トロイダルコイルの自己共振周波数が前記第２の周波数に一致または近接するように、前記トロイダルコイルが構成されている、請求項１〜８のいずれか一項に記載のプラズマ処理装置。
【請求項１０】
前記トロイダルコイルの自己共振周波数が前記第２の周波数に一致または近接するように、前記トロイダルコイルの巻数が調整されている、請求項９記載のプラズマ処理装置。
【請求項１１】
前記トロイダルコイルの自己共振周波数が前記第２の周波数に一致または近接するように、前記トロイダルコイルの厚みが調整されている、請求項９または請求項１０に記載のプラズマ処理装置。
【請求項１２】
前記筺体は接地されている、請求項１〜１２のいずれか一項記載のプラズマ処理装置。
【請求項１３】
前記筺体は円筒状の側壁を有し、
前記空芯コイルと前記トロイダルコイルのトロイダルコアは互いに同軸に配置される、
請求項１〜１２のいずれか一項に記載のプラズマ処理装置。
【請求項１４】
前記空芯コイルは、前記第１および第２の周波数に対して集中定数素子として機能する、請求項１〜１３のいずれか一項に記載のプラズマ処理装置。
【請求項１５】
前記空芯コイルの直径をＤ、長さをＨとすると、Ｈ／Ｄは１以下である、請求項１〜１４のいずれか一項に記載のプラズマ処理装置。
【請求項１６】
前記トロイダルコイルにおいて、トロイダルコアの内半径をａ、外半径をｂ、厚さをｔとすると、ｔ≧２（ｂ−ａ）である、請求項１〜１５のいずれか一項に記載のプラズマ処理装置。
【請求項１７】
前記トロイダルコイルのトロイダルコアは、一定の内半径、外半径および厚さを有する単体のトロイダルコアを複数重ねている、請求項１〜１６のいずれか一項に記載のプラズマ処理装置。
【請求項１８】
プラズマ処理が行われる処理容器内の電気的部材が前記処理容器の外に配置される外部回路に線路を介して電気的に接続されているプラズマ処理装置において、前記電気的部材から前記外部回路に向かって前記線路に入ってくる周波数の異なる複数の高周波のノイズを減衰させ、または阻止するために前記線路の途中に設けられるフィルタユニットであって、
前記電気的部材側から見て初段に設けられる空芯コイルと、
前記空芯コイルと直列に接続されるトロイダルコイルと、
前記空芯コイルおよび前記トロイダルコイルを収容または包囲する導電性の筺体と、
前記空芯コイルと前記トロイダルコイルとの間の接続点と前記筺体との間に電気的に接続される第１のコンデンサと、
前記トロイダルコイルの前記外部回路側の端子と前記筺体との間に電気的に接続される第２のコンデンサと
を有するフィルタユニット。
【請求項１９】
プラズマ処理が行われる処理容器内の第１の電極に設けられている発熱体が前記処理容器の外に配置されるヒータ電源に給電ラインを介して電気的に接続されているプラズマ処理装置において、前記発熱体から前記ヒータ電源に向かって前記給電ラインに入ってくる周波数の異なる複数の高周波のノイズを減衰させ、または阻止するために前記給電ラインの途中に設けられるフィルタユニットであって、
前記発熱体側から見て初段に設けられる空芯コイルと、
前記空芯コイルと直列に接続されるトロイダルコイルと、
前記空芯コイルおよび前記トロイダルコイルを収容または包囲する導電性の筺体と、
前記空芯コイルと前記トロイダルコイルとの間の接続点と前記筺体との間に電気的に接続される第１のコンデンサと、
前記トロイダルコイルの前記ヒータ電源側の端子と前記筺体との間に電気的に接続される第２のコンデンサと
を有するフィルタユニット。
【発明の詳細な説明】
【技術分野】
【０００１】
本発明は、高周波を用いて被処理基板にプラズマ処理を施すプラズマ処理装置に係り、特に処理容器内の高周波電極その他の電気的部材から給電ラインや信号線等の線路上に入ってくる高周波ノイズを遮断するためのフィルタを備えるプラズマ処理装置に関する。
【背景技術】
【０００２】
プラズマを用いる半導体デバイスあるいはＦＰＤ（Flat Panel Display）の製造のための微細加工においては、被処理基板（半導体ウエハ、ガラス基板等）上のプラズマ密度分布の制御と共に、基板の温度ないし温度分布の制御が非常に重要である。基板の温度制御が適正に行われないと、基板表面反応ひいてはプロセス特性の均一性が確保できなくなり、半導体デバイスあるいは表示デバイスの製造歩留まりが低下する。
【０００３】
一般に、プラズマ処理装置、特に容量結合型のプラズマ処理装置のチャンバ内で被処理基板を載置する載置台またはサセプタは、プラズマ空間に高周波を印加する高周波電極の機能と、基板を静電吸着等で保持する保持部の機能と、基板を伝熱で所定温度に制御する温度制御部の機能とを有している。温度制御機能に関しては、プラズマやチャンバ壁からの輻射熱の不均一性による基板への入熱特性の分布や、基板支持構造による熱分布を適切に補正できることが望まれている。
【０００４】
従来より、サセプタの温度ひいては基板の温度を制御するために、サセプタに通電により発熱する発熱体を組み込んで該発熱体の発生するジュール熱を制御するヒータ方式が多く用いられている。しかしながら、ヒータ方式が採られると、該高周波電源よりサセプタに印加された高周波の一部がノイズとして発熱体からヒータ給電ラインに入り込みやすい。高周波ノイズがヒータ給電ラインを通り抜けてヒータ電源に到達すると、ヒータ電源の動作ないし性能が害されるおそれがある。さらに、ヒータ給電ライン上で高周波の電流が流れると、高周波のパワーが無駄に消費される。このような実情により、サセプタ内蔵の発熱体から入ってくる高周波のノイズを減衰させまたは阻止するためのフィルタをヒータ給電ライン上に設けるのが通例となっている。通常、この種のフィルタは、サセプタの直下で処理容器の外に配置される。
【０００５】
本出願人は、特許文献１で、プラズマ処理装置において処理容器内の高周波電極その他の電気的部材から給電ラインや信号線等の線路上に入ってくる高周波のノイズを遮断するフィルタの性能を改善する技術を開示している。このフィルタ技術は、分布定数線路の規則的な多重並列共振特性を利用することにより、フィルタ内に収めるコイルを１個の空芯コイルで済ましている。
【先行技術文献】
【特許文献】
【０００６】
【特許文献１】特開２０１１−１３５０５２
【発明の開示】
【発明が解決しようとする課題】
【０００７】
容量結合型のプラズマ処理装置は、プラズマプロセスにおける高周波の機能およびその制御性を高めるために、処理容器内の電極に周波数の異なる複数の高周波を印加することが多い。たとえば、下部２周波印加方式は、被処理基板を載置するサセプタ（下部電極）に、プラズマの生成に適した比較的高い基本周波数（通常２７ＭＨｚ以上）を有する第１高周波ＨＦと、イオンの引き込みに適した比較的低い基本周波数（通常１３ＭＨｚ以下）を有する第２高周波ＬＦとを重畳して印加する。この場合、基板の温度制御のためにサセプタに組み込まれる発熱体を介してヒータ給電ライン上に第１および第２高周波ＨＦ，ＬＦのノイズが同時に入ってくる。ヒータ給電ライン上に設けられるフィルタは、それら２周波の高周波ノイズを同時に遮断しなければならない。
【０００８】
上記のような特許文献１のフィルタにおいては、遮断対象の周波数の中で最も低い第２高周波ＬＦの基本周波数によって空芯コイルに要求されるインダクタンスつまりコイルのサイズ（特に軸方向のコイル長さ）が左右され、第２高周波ＬＦの基本周波数が低いほどコイル長さを大きくしなければならない。たとえば、第２高周波ＬＦの基本周波数が３．２ＭＨｚの場合はコイル長さが２００ｍｍ以上必要であり、第２高周波ＬＦの基本周波数が４００ｋＨｚの場合はコイル長さが７５０ｍｍ以上必要になる。しかしながら、空芯コイルのサイズが大きくなるほど、コイル導線の抵抗が高くなって、ヒータ電源からの電流が流れる時に発生するジュール熱が増えて、フィルタ内の電力損失が増大する。また、空芯コイルのサイズつまりフィルタのサイズが大きくなると、サセプタないしチャンバの下に設けられる各種用力供給系のレイアウト設計が難しくなる。
【０００９】
さらに、上記特許文献１のフィルタにおいては、空芯コイルとそれを包囲する筒状の外導体とで形成される分布定数線路の並列多重共振により、フィルタの周波数−インピーダンス特性に夥しい数の並列共振周波数が略一定の周波数間隔で現れる。しかし、それらの殆どは不所望または不使用の並列共振周波数である。このため、複数の周波数をフィルタの遮断対象とする場合、たとえば上記のように第１および第２高周波ＨＦ，ＬＦの基本周波数を遮断対象とする場合に、それら２つの基本周波数の近傍に並列多重共振周波数の中の２つを同時に合わせ込むのは非常に難しい。また、並列多重共振においては、各並列共振点の付近でインピーダンス特性の傾斜（変化率）が急峻であるため（ブロードな特性ではないため）、遮断対象の基本周波数とその近くの並列共振周波数とのずれが小さくてもインピーダンスが並列共振点のピーク値より著しく低下してフィルタ機能が効かなくなることがある。このため、フィルタの設計・製作・調整が難しく、機差も生じやすい。
【００１０】
本発明は、上記のような従来技術の課題に鑑みてなされたものであり、処理容器内の高周波電極その他の電気的部材から給電ラインや信号線等の線路上に入ってくる有害な複数の周波数の高周波ノイズに対して、効率的かつ安定確実に十分高いインピーダンスを与えて、プラズマプロセスの再現性・信頼性を向上させるプラズマ処理装置およびフィルタユニットを提供する。
【課題を解決するための手段】
【００１１】
本発明の第１の観点におけるプラズマ処理装置は、プラズマ処理が行われる処理容器内の所定の電気的部材に線路を介して電気的に接続される電力系または信号系の外部回路を有し、前記電気的部材から前記外部回路に向かって前記線路に入ってくる第１の周波数を有する第１の高周波のノイズおよび前記第１の周波数よりも低い第２の周波数を有する第２の高周波のノイズを前記線路上に設けたフィルタによって減衰させ、または阻止するプラズマ処理装置であって、前記フィルタが、前記電気的部材側から見て初段に設けられる空芯コイルと、前記空芯コイルと直列に接続されるトロイダルコイルと、前記空芯コイルおよび前記トロイダルコイルを収容または包囲する導電性の筺体と、前記空芯コイルと前記トロイダルコイルとの間の接続点と前記筺体との間に電気的に接続される第１のコンデンサと、前記トロイダルコイルの前記外部回路側の端子と前記筺体との間に電気的に接続される第２のコンデンサとを有する。
【００１２】
上記第１の観点のプラズマ処理装置においては、プラズマ処理中に処理容器内の上記電気的部材から処理容器の外の上記外部回路に向かって線路上に入ってくる第１および第２の高周波のノイズに対して、フィルタの初段の空芯コイルが第１の周波数を有する第１の高周波のノイズを遮断し、次段のトロイダルコイルが空芯コイルを通過した第２の周波数を有する第２の高周波ノイズを遮断する。ここで、導電性の筺体の中で、空芯コイルは第１の周波数の近くに自己共振周波数を有し、トロイダルコイルは第２の周波数の近くに自己共振周波数を有する。また、第１のコンデンサは第２の周波数と第１の周波数の中間に第１の直列共振周波数が得られるように機能し、第２のコンデンサは第２の周波数よりも低い領域に第２の直列共振周波数が得られるように機能する。このように、周波数の高い方の第１の高周波のノイズに対するフィルタ遮断機能および周波数の低い方の第２の高周波のノイズに対するフィルタ遮断機能を、空芯コイルおよびトロイダルコイルにそれぞれ役割分担させる。
【００１３】
また、本発明の第１の観点におけるフィルタユニットは、プラズマ処理が行われる処理容器内の電気的部材が前記処理容器の外に配置される外部回路に線路を介して電気的に接続されているプラズマ処理装置において、前記電気的部材から前記外部回路に向かって前記線路に入ってくる周波数の異なる複数の高周波のノイズを減衰させ、または阻止するために前記線路の途中に設けられるフィルタユニットであって、前記電気的部材側から見て初段に設けられる空芯コイルと、前記空芯コイルと直列に接続されるトロイダルコイルと、前記空芯コイルおよび前記トロイダルコイルを収容または包囲する導電性の筺体と、前記空芯コイルと前記トロイダルコイルとの間の接続点と前記筺体との間に電気的に接続される第１のコンデンサと、前記トロイダルコイルの前記外部回路側の端子と前記筺体との間に電気的に接続される第２のコンデンサとを有する。
【００１４】
上記第１の観点のフィルタユニットにおいては、プラズマ処理中に処理容器内の上記電気的部材から処理容器の外の上記外部回路に向かって線路上に入ってくる複数の高周波のノイズに対して、フィルタの初段の空芯コイルが周波数の高い方の高周波ノイズを遮断し、次段のトロイダルコイルが空芯コイルを通過した周波数の低い方の高周波ノイズを遮断する。ここで、導電性の筺体の中で、空芯コイルは高い方の周波数で自己共振し、トロイダルコイルは低い方の周波数で自己共振する。また、第１のコンデンサはトロイダルコイルの自己共振周波数と空芯コイルの自己共振周波数の中間に第１の直列共振周波数が得られるように機能し、第２のコンデンサはトロイダルコイルの自己共振周波数よりも低い領域に第２の直列共振周波数が得られるように機能する。このように、周波数の高い方の高周波のノイズに対するフィルタ遮断機能および周波数の低い方の高周波のノイズに対するフィルタ遮断機能を、空芯コイルおよびトロイダルコイルにそれぞれ役割分担させる。
【００１５】
本発明の第２の観点におけるプラズマ処理装置は、プラズマ処理が行われる処理容器内に被処理体を保持する第１の電極とこれと対向する第２の電極とを配設し、第１の高周波を出力する第１の高周波電源を前記第１の電極または前記第２の電極に電気的に接続するとともに、前記第１の周波数よりも低い第２の周波数を有する第２の高周波を出力する第２の高周波電源を前記第１の電極に電気的に接続し、前記第１の電極に設けられる発熱体とこの発熱体に電力を供給するヒータ電源とを電気的に接続する給電ライン上に前記発熱体を介して入ってくる所定周波数の高周波ノイズを減衰させ、または阻止するためのフィルタを設けているプラズマ処理装置であって、前記フィルタが、前記発熱体側から見て初段に設けられる空芯コイルと、前記空芯コイルと直列に接続されるトロイダルコイルと、前記空芯コイルおよび前記トロイダルコイルを収容または包囲する導電性の筺体と、前記空芯コイルと前記トロイダルコイルとの間の接続点と前記筺体との間に電気的に接続される第１のコンデンサと、前記トロイダルコイルの前記ヒータ電源側の端子と前記筺体との間に電気的に接続される第２のコンデンサとを有する。
【００１６】
上記第２の観点のプラズマ処理装置においては、プラズマ処理中に処理容器内の第１の電極に組み込まれている発熱体から処理容器の外のヒータ電源に向かって給電ライン上に入ってくる第１および第２の高周波のノイズに対して、フィルタの初段の空芯コイルが第１の周波数を有する第１の高周波のノイズを遮断し、次段のトロイダルコイルが空芯コイルを通過してきた第２の周波数を有する第２の高周波のノイズを遮断する。ここで、導電性の筺体の中で、空芯コイルは第１の周波数の近くに自己共振周波数を有し、トロイダルコイルは第２の周波数の近くに自己共振周波数を有する。また、第１のコンデンサは第２の周波数と第１の周波数の中間に第１の直列共振周波数が得られるように機能し、第２のコンデンサは第２の周波数よりも低い領域に第２の直列共振周波数が得られるように機能する。このように、周波数の高い方の第１の高周波のノイズに対するフィルタ遮断機能および周波数の低い方の第２の高周波のノイズに対するフィルタ遮断機能を、空芯コイルおよびトロイダルコイルにそれぞれ役割分担させる。
【００１７】
また、本発明の第２の観点におけるフィルタユニットは、プラズマ処理が行われる処理容器内の第１の電極に設けられている発熱体が前記処理容器の外に配置されるヒータ電源に給電ラインを介して電気的に接続されているプラズマ処理装置において、前記発熱体から前記ヒータ電源に向かって前記給電ラインに入ってくる周波数の異なる複数の高周波のノイズを減衰させ、または阻止するために前記給電ラインの途中に設けられるフィルタユニットであって、前記発熱体側から見て初段に設けられる空芯コイルと、前記空芯コイルと直列に接続されるトロイダルコイルと、前記空芯コイルおよび前記トロイダルコイルを収容または包囲する導電性の筺体と、前記空芯コイルと前記トロイダルコイルとの間の接続点と前記筺体との間に電気的に接続される第１のコンデンサと、前記トロイダルコイルの前記ヒータ電源側の端子と前記筺体との間に電気的に接続される第２のコンデンサとを有する。
【００１８】
上記第２の観点のフィルタユニットにおいては、プラズマ処理中に処理容器内のプラズマ処理中に処理容器内の第１の電極に組み込まれている発熱体から処理容器の外のヒータ電源に向かって給電ライン上に入ってくる複数の高周波のノイズに対して、フィルタの初段の空芯コイルが周波数の高い方の高周波ノイズを遮断し、次段のトロイダルコイルが空芯コイルを通過してきた周波数の低い方の高周波ノイズを遮断する。ここで、導電性の筺体の中で、空芯コイルは高い方の周波数で自己共振し、トロイダルコイルは低い方の周波数で自己共振する。また、第１のコンデンサはトロイダルコイルの自己共振周波数と空芯コイルの自己共振周波数の中間に第１の直列共振周波数が得られるように機能し、第２のコンデンサはトロイダルコイルの自己共振周波数よりも低い領域に第２の直列共振周波数が得られるように機能する。このように、周波数の高い方の高周波のノイズに対するフィルタ遮断機能および周波数の低い方の高周波のノイズに対するフィルタ遮断機能を、空芯コイルおよびトロイダルコイルにそれぞれ役割分担させる。
【発明の効果】
【００１９】
本発明のプラズマ処理装置およびフィルタユニットによれば、上記のような構成および作用により、処理容器内の高周波電極その他の電気的部材から給電ラインや信号線等の線路上に入ってくる有害な複数の周波数の高周波ノイズに対して、効率的かつ安定確実に十分高いインピーダンスを与えて、プラズマプロセスの再現性・信頼性を向上させることができる。
【図面の簡単な説明】
【００２０】
【図１】本発明の第１の実施形態におけるプラズマ処理装置の構成を示す断面図である。
【図２】上記プラズマ処理装置のサセプタ（下部電極）に設けられる発熱体の構成を示す略平面図である。
【図３】上記サセプタ内の発熱体に電力を供給するためのヒータ給電部の回路構成を示す図である。
【図４】上記実施形態におけるフィルタユニットの物理的構造を示す断面図である。
【図５】上記フィルタユニットに設けられる空芯コイルの構造を示す部分拡大斜視図である。
【図６】上記フィルタユニットに設けられるトロイダルコイルの構造を示す平面図である。
【図７】上記トロイダルコイルのトロイダルコアの外観構成を示す斜視図である。
【図８】上記フィルタユニット内のフィルタの等価回路を示す回路図である。
【図９】上記フィルタユニットにおけるフィルタの周波数−インピーダンス特性の一例を示す図である。
【図１０】第２の実施形態におけるプラズマ処理装置の構成を示す断面図である。
【図１１】上記第２の実施形態におけるフィルタユニットの物理的構造を示す縦断面図である。
【図１２】図１１のフィルタユニット内のフィルタの等価回路を示す回路図である。
【図１３】図１１のフィルタユニットにおけるフィルタの周波数−インピーダンス特性の一例を示す図である。
【図１４】第３の実施形態におけるフィルタユニットの物理的構造を示す縦断面図である。
【図１５】図１４のフィルタユニット内のフィルタの等価回路を示す回路図である。
【図１６】トロイダルコアの一変形例を示す図である。
【発明を実施するための形態】
【００２１】
以下、添付図を参照して本発明の好適な実施の形態を説明する。
［プラズマ処理装置全体の構成］
【００２２】
図１に、本発明の第１の実施形態におけるプラズマ処理装置の構成を示す。このプラズマ処理装置は、下部２周波印加方式の容量結合型プラズマエッチング装置として構成されており、たとえばアルミニウムまたはステンレス鋼等の金属製の円筒型チャンバ（処理容器）１０を有している。チャンバ１０は接地されている。
【００２３】
チャンバ１０内には、被処理基板としてたとえば半導体ウエハＷを載置する円板形状のサセプタ１２が下部電極として水平に配置されている。このサセプタ１２は、たとえばアルミニウムからなり、チャンバ１０の底から垂直上方に延びるたとえばセラミック製の絶縁性筒状支持部１４により非接地で支持されている。この絶縁性筒状支持部１４の外周に沿ってチャンバ１０の底から垂直上方に延びる導電性の筒状支持部１６とチャンバ１０の内壁との間に環状の排気路１８が形成され、この排気路１８の底に排気口２０が設けられている。この排気口２０には排気管２２を介して排気装置２４が接続されている。排気装置２４は、ターボ分子ポンプなどの真空ポンプを有しており、チャンバ１０内の処理空間を所望の真空度まで減圧することができる。チャンバ１０の側壁には、半導体ウエハＷの搬入出口を開閉するゲートバルブ２６が取り付けられている。
【００２４】
サセプタ１２には、第１および第２の高周波電源２８，３０がマッチングユニット３２および給電棒３４を介して電気的に接続されている。ここで、第１の高周波電源２８は、主としてプラズマの生成に寄与する一定周波数（通常２７ＭＨｚ以上）の第１高周波ＨＦを出力する。一方、第２の高周波電源３０は、主としてサセプタ１２上の半導体ウエハＷに対するイオンの引き込みに寄与する一定周波数（通常１３ＭＨｚ以下）の第２高周波ＬＦを出力する。マッチングユニット３２には、第１および第２の高周波電源２８，３０とプラズマ負荷との間でインピーダンスの整合をとるための第１および第２の整合器（図示せず）が収容されている。
【００２５】
給電棒３４は、所定の外径を有する円筒形または円柱形の導体からなり、その上端がサセプタ１２の下面中心部に接続され、その下端がマッチングユニット３２内の上記第１および第２整合器の高周波出力端子に接続されている。また、チャンバ１０の底面とマッチングユニット３２との間には、給電棒３４の周りを囲む円筒形の導体カバー３５が設けられている。より詳細には、チャンバ１０の底面（下面）に給電棒３４の外径よりも一回り大きな所定の口径を有する円形の開口部が形成され、導体カバー３５の上端部がこのチャンバ開口部に接続されるとともに、導体カバー３５の下端部が上記整合器の接地（帰線）端子に接続されている。
【００２６】
サセプタ１２は半導体ウエハＷよりも一回り大きな直径または口径を有している。サセプタ１２の上面は、ウエハＷと略同形状（円形）かつ略同サイズの中心領域つまりウエハ載置部と、このウエハ載置部の外側に延在する環状の周辺部とに区画されている。ウエハ載置部の上に、処理対象の半導体ウエハＷが載置される。環状周辺部の上には、半導体ウエハＷの口径よりも大きな内径を有するリング状の板材いわゆるフォーカスリング３６が取り付けられる。このフォーカスリング３６は、半導体ウエハＷの被エッチング材に応じて、たとえばＳi，ＳiＣ，Ｃ，ＳiＯ2の中のいずれかの材質で構成されている。
【００２７】
サセプタ１２上面のウエハ載置部には、ウエハ吸着用の静電チャック３８および発熱体４０が設けられている。静電チャック３８は、サセプタ１２の上面に一体形成または一体固着された膜状または板状の誘電体４２の中にＤＣ電極４４を封入しており、ＤＣ電極４４にはチャンバ１０の外に配置される外付けの直流電源４５がスイッチ４６、高抵抗値の抵抗４８およびＤＣ高圧線５０を介して電気的に接続されている。直流電源４５からの高圧の直流電圧がＤＣ電極４４に印加されることにより、クーロン力で半導体ウエハＷを静電チャック３８上に吸着保持できるようになっている。なお、ＤＣ高圧線５０は、被覆線であり、円筒体の下部給電棒３４の中を通り、サセプタ１２を下から貫通して静電チャック３８のＤＣ電極４４に接続されている。
【００２８】
発熱体４０は、静電チャック３８のＤＣ電極４４と一緒に誘電体４２の中に封入された例えばスパイラル状の抵抗発熱線からなり、この実施形態では図２に示すようにサセプタ１２の半径方向において内側の発熱線４０(IN）と外側の発熱線４０(OUT)とに２分割されている。このうち、内側発熱線４０(IN）は、絶縁被覆された給電導体５２(IN)、フィルタユニット５４(IN)および電気ケーブル５６(IN)を介して、チャンバ１０の外に配置される専用のヒータ電源５８(IN)に電気的に接続されている。外側発熱線４０(OUT)は、絶縁被覆された給電導体５２(OUT)、フィルタユニット５４(OUT)および電気ケーブル５６(OUT)を介して、やはりチャンバ１０の外に配置される専用のヒータ電源５８(OUT)に電気的に接続されている。この中で、フィルタユニット５４(IN)，５４(OUT)はこの実施形態における主要な特徴部分であり、その内部の構成および作用については後に詳細に説明する。
【００２９】
サセプタ１２の内部には、たとえば円周方向に延びる環状の冷媒室または冷媒通路６０が設けられている。この冷媒室６０には、チラーユニット（図示せず）より冷媒供給管を介して所定温度の冷媒たとえば冷却水ｃｗが循環供給される。冷媒の温度によってサセプタ１２の温度を下げる方向に制御できる。そして、サセプタ１２に半導体ウエハＷを熱的に結合させるために、伝熱ガス供給部（図示せず）からの伝熱ガスたとえばＨeガスが、ガス供給管およびサセプタ１２内部のガス通路６２を介して静電チャック３８と半導体ウエハＷとの接触界面に供給されるようになっている。
【００３０】
チャンバ１０の天井には、サセプタ１２と平行に向かい合って上部電極を兼ねるシャワーヘッド６４が設けられている。このシャワーヘッド６４は、サセプタ１２と向かい合う電極板６６と、この電極板６６をその背後（上）から着脱可能に支持する電極支持体６８とを有し、電極支持体６８の内部にガス室７０を設け、このガス室７０からサセプタ１２側に貫通する多数のガス吐出孔７２を電極支持体６８および電極板６６に形成している。電極板６６とサセプタ１２との間の空間ＳＰがプラズマ生成空間ないし処理空間となる。ガス室７０の上部に設けられるガス導入口７０ａには、処理ガス供給部７４からのガス供給管７６が接続されている。電極板６６はたとえばＳi、ＳiＣあるいはＣからなり、電極支持体６８はたとえばアルマイト処理されたアルミニウムからなる。
【００３１】
このプラズマエッチング装置内の各部たとえば排気装置２４、高周波電源２８，３０、直流電源４５のスイッチ４６、ヒータ電源５８(IN)，５８(OUT)、チラーユニット（図示せず）、伝熱ガス供給部（図示せず）および処理ガス供給部７４等の個々の動作および装置全体の動作（シーケンス）は、マイクロコンピュータを含む制御部７５によって制御される。
【００３２】
このプラズマエッチング装置における枚葉ドライエッチングの基本的な動作は次のようにして行われる。先ず、ゲートバルブ２６を開状態にして加工対象の半導体ウエハＷをチャンバ１０内に搬入して、静電チャック３８の上に載置する。そして、処理ガス供給部７４よりエッチングガス（一般に混合ガス）を所定の流量でチャンバ１０内に導入し、排気装置２４によりチャンバ１０内の圧力を設定値にする。さらに、第１および第２の高周波電源２８、３０をオンにして第１高周波ＨＦおよび第２高周波ＬＦをそれぞれ所定のパワーで出力させ、これらの高周波ＨＦ，ＬＦをマッチングユニット３２および給電棒３４を介してサセプタ（下部電極）１２に印加する。また、伝熱ガス供給部より静電チャック３８と半導体ウエハＷとの間の接触界面に伝熱ガス（Ｈeガス）を供給するとともに、静電チャック用のスイッチ４６をオンにして、静電吸着力により伝熱ガスを上記接触界面に閉じ込める。一方で、ヒータ電源５８(IN)，５８(OUT)をオンにして、内側発熱線４０(IN)および外側発熱線４０(OUT)を各々独立したジュール熱で発熱させ、サセプタ１２上面の温度ないし温度分布を設定値に制御する。シャワーヘッド６４より吐出されたエッチングガスは両電極１２，６４間で高周波の放電によってプラズマ化し、このプラズマで生成されるラジカルやイオンによって半導体ウエハＷ表面の被加工膜が所望のパターンにエッチングされる。
【００３３】
このプラズマエッチング装置は、陰極結合型であり、プラズマの生成に適した比較的高い基本周波数（２７ＭＨｚ以上）を有する第１高周波ＨＦをサセプタ１２に印加することにより、プラズマを好ましい解離状態で高密度化し、より低圧の条件下でも高密度プラズマを形成することができる。それと同時に、イオンの引き込みに適した比較的低い基本周波数（１３ＭＨｚ以下）を有する第２高周波ＬＦをサセプタ１２に印加することにより、サセプタ１２上の半導体ウエハＷに対して選択性の高い異方性のエッチングを施すことができる。
【００３４】
また、この容量結合型プラズマエッチング装置においては、サセプタ１２にチラーの冷却とヒータの加熱を同時に与え、しかもヒータの加熱を半径方向の中心部とエッジ部とで独立に制御するので、高速の温度切換または昇降温が可能であるとともに、温度分布のプロファイルを任意または多様に制御することも可能である。
【００３５】
また、この容量結合型プラズマエッチング装置においては、プラズマエッチングの最中に、高周波電源２８，３０よりサセプタ１２に印加された第１および第２高周波ＨＦ，ＬＦの一部が、サセプタ１２に組み込まれている内側発熱線４０(IN)および外側発熱線４０(OUT)を介して給電導体５２(IN)，５２(OUT) に高周波ノイズとして入り込んでくる。これら２周波の高周波ノイズのどちらかでもヒータ電源５８(IN)，５８(OUT)に突入すれば、ヒータ電源５８(IN)，５８(OUT)の動作ないし性能が害されるおそれがある。
【００３６】
この点に関しては、上記のように、ヒータ電源５８(IN)，５８(OUT)と内側発熱線４０(IN)および外側発熱線４０(OUT)とを電気的に結ぶヒータ給電ライン上にフィルタユニット５４(IN)，５４(OUT)が設けられている。これらのフィルタユニット５４(IN)，５４(OUT)は、以下に詳しく述べるように、内側発熱線４０(IN)および外側発熱線４０(OUT)からヒータ給電ライン上に入ってくる第１および第２高周波ＨＦ，ＬＦのノイズのいずれに対しても、インピーダンスの十分に高いフィルタ遮断機能を低消費電力で効率的にかつ安定確実に発揮する。これにより、この実施形態のプラズマエッチング装置は、ヒータ方式のウエハ温度制御機能を改善するとともに、チャンバ１０からサセプタ１２内部の発熱体４０を介してヒータ給電ライン上に第１および第２高周波ＨＦ，ＬＦのパワーが漏れるのを効果的に防止または低減し、プラズマプロセスの再現性・信頼性を向上させている。
［フィルタユニット内の回路構成］
【００３７】
次に、このプラズマエッチング装置における主要な特徴部分であるフィルタユニット５４(IN)，５４(OUT)内の回路構成を説明する。
【００３８】
図３に、サセプタ１２に設けられるウエハ温度制御用の発熱体４０に電力を供給するためのヒータ給電部の回路構成を示す。この実施形態では、発熱体４０の内側発熱線４０(IN)および外側発熱線４０(OUT)のそれぞれに対して実質的に同一の回路構成を有する個別のヒータ給電部を接続し、内側発熱線４０(IN)および外側発熱線４０(OUT)の発熱量または発熱温度を独立に制御するようにしている。以下の説明では、内側発熱線４０(IN)に対するヒータ給電部の構成および作用について述べる。外側発熱線４０(OUT)に対するヒータ給電部の構成および作用も全く同じである。
【００３９】
ヒータ電源５８(IN)は、たとえばＳＳＲを用いてたとえば商用周波数のスイッチング（ＯＮ／ＯＦＦ）動作を行う交流出力型の電源であり、内側発熱線４０(IN)と閉ループの回路で接続されている。より詳しくは、ヒータ電源５８(IN)の一対の出力端子のうち、第１の出力端子は第１の給電ライン（電源線）１００Ａを介して内側発熱線４０(IN)の第１の端子ｈAに電気的に接続され、第２の出力端子は第２の給電ライン（電源線）１００Ｂを介して内側発熱線４０(IN)の第２の端子ｈBに電気的に接続されている。
【００４０】
フィルタユニット５４(IN)は、第１および第２の給電ライン１００Ａ，１００Ｂ上で、接地された導電性の筺体１０４の中に、それぞれ複数個のリアクタンス素子［ＡＬ1，ＡＣ1，ＡＬ2，ＡＣ2］，［ＢＬ1，ＢＣ1，ＢＬ2，ＢＣ2］からなる第１および第２のフィルタ１０２Ａ，１０２Ｂを収容している。両フィルタ１０２Ａ，１０２Ｂの回路構成は実質的に同じであり、両フィルタ間で各対応するリアクタンス素子の特性値も実質的に同じである。
【００４１】
より詳しくは、各々のフィルタ１０２Ａ，１０２Ｂは、給電ライン１００Ａ，１００Ｂ上で、発熱体４０側から見て初段のコイルＡＬ1，ＢＬ1および次段のコイルＡＬ2，ＢＬ2の順にそれらを直列に接続するとともに、初段のコイルＡＬ1，ＢＬ1と次段のコイルＡＬ2，ＢＬ2との間の接続点ＮA，ＮBと筺体１０４との間に第１のコンデンサＡＣ1，ＢＣ1を電気的に接続し、次段のコイルＡＬ2，ＢＬ2のヒータ電源５８(IN)側の端子と筺体１０４との間に第２のコンデンサＡＣ2，ＢＣ2を電気的に接続している。
【００４２】
かかる構成のヒータ給電部において、ヒータ電源５８(IN)より出力される電流は、正極性のサイクルでは、第１の給電ライン１００Ａつまり電気ケーブル５６(IN)、次段のコイルＡＬ2、初段のコイルＡＬ1および給電導体５２(IN)を通って一方の端子ｈAから内側発熱線４０(IN)に入り、内側発熱線４０(IN)の各部でジュール熱を発生させ、他方の端子ｈBから出た後は、第２の給電ライン１００Ｂつまり給電導体５２(IN)、初段のコイルＢＬ1、次段のコイルＢＬ2および電気ケーブル５６(IN)を通って帰還する。負極性のサイクルでは、同じ回路を上記と逆方向に電流が流れる。このヒータ交流出力の電流は通常５０Ｈｚ〜数１００Ｈｚであるため、各コイルＡＬ1，ＢＬ1，ＡＬ2，ＢＬ2における電圧降下は無視できるほど小さく、各コンデンサＡＣ1，ＢＣ1，ＡＣ2，ＢＣ2を通ってアースへ抜ける漏れ電流も無視できるほど少ない。この実施形態では、後述するように、初段のコイルＡＬ1，ＢＬ1が空芯コイルからなり、次段のコイルＡＬ2，ＢＬ2がトロイダルコイルからなる。
［フィルタユニット内の物理的構造］
【００４３】
図４に、この実施形態におけるフィルタユニット５４(IN)内の物理的な構造を示す。図５〜図７に、フィルタユニット５４(IN)内の要部の構成を示す。
【００４４】
図４に示すように、フィルタユニット５４(IN)は、たとえばアルミニウムからなる接地された円筒状の導電性筺体１０４の中に、空芯コイルＡＬ1，ＢＬ1、第１のコンデンサＡＣ1，ＢＣ1、トロイダルコイルＡＬ2，ＢＬ2および第２のコンデンサＡＣ2，ＢＣ2を上から下にこの順序で配置している。
【００４５】
空芯コイルＡＬ1，ＢＬ1は、図４に示すように、好ましくは筺体１０４と同軸に配置され、軸方向（縦方向）に重なり合って並進しながら等しい巻線間隔およびコイル長さＨで螺旋状に巻かれている。両コイルＡＬ1，ＢＬ1のそれぞれのコイル導線は、図５に示すように、好ましくは同一の断面積を有する薄板または平角の銅線からなり、片方の空芯コイルＢＬ1のコイル導線を絶縁体のチューブ１０６で覆っている。
【００４６】
この実施形態では、空芯コイルＡＬ1，ＢＬ1が、第１高周波ＨＦおよび第２高周波ＬＦの周波数に対して集中定数素子として機能するように、コイルの直径（外径）Ｄに対するコイル長さＨの比Ｈ／Ｄを従来よりも大幅に小さくし、好ましくはＨ／Ｄを１以下としている。このように初段の空芯コイルＡＬ1，ＢＬ1が著しく短い（巻数Ｎが著しく少ない）ことは、空芯コイルＡＬ1，ＢＬ1のインダクタンスを低くするのに大きく寄与するだけでなく、フィルタユニット５４(IN)全体のコンパクト化にも寄与し、さらには空芯コイルＡＬ1，ＢＬ1自体の発熱（銅損）を減らす効果もある。
【００４７】
なお、空芯コイルＡＬ1，ＢＬ1のコイル長さＨをこのように相当短くすると、周波数の低い高周波ノイズ、特にイオン引き込み用の第２高周波ＬＦのノイズに対して空芯コイルＡＬ1，ＢＬ1の遮断機能が効かなくなる。しかし、この点については、後述するように、空芯コイルＡＬ1，ＢＬ1の後段でトロイダルコイルＡＬ2，ＢＬ2がそのような低い周波数の高周波ノイズを確実に遮断するようになっているので、フィルタユニット５４(IN)全体のフィルタ性能は保証されている。
【００４８】
第１のコンデンサＡＣ1，ＢＣ1は、市販品の２端子型コンデンサであり、図４に示すように、空芯コイルＡＬ1，ＢＬ1とトロイダルコイルＡＬ2，ＢＬ2との間のスペースに横向きで対に配置されている。第１のフィルタ１０２Ａ側の第１のコンデンサＡＣ1は、一方の端子が接続導体１０８Ａを介して空芯コイルＡＬ1の下部端子に接続され、他方の端子が接続導体１１０Ａを介して筺体１０４の側壁に接続されている。第２のフィルタ１０２Ｂ側の第１のコンデンサＢＣ1は、一方の端子が接続導体１０８Ｂを介して空芯コイルＢＬ1の下部端子に接続され、他方の端子が接続導体１１０Ｂを介して筺体１０４の側壁に接続されている。
【００４９】
トロイダルコイルＡＬ2，ＢＬ2は、図４および図６に示すように、好ましくは空芯コイルＡＬ1，ＢＬ1と同軸に配置される共通のトロイダルコア１１２にそれぞれのコイル導体を約半周ずつ螺旋状に巻き付けている。ここで、両トロイダルコイルＡＬ2，ＢＬ2のコイル導体は、両コイルに高周波の電流ＩA，ＩBが同じ位相で流れた時にトロイダルコア１１２内に発生するそれぞれの磁束ΦA，ΦBが周回方向で同じ向きになる（足し合わさる）ように、逆向きに巻かれている。トロイダルコア１１２は、比透磁率の高いコア材たとえばNi-Zn系フェライトからなり、円環の閉磁路を形成している。
【００５０】
第１のフィルタ１０２Ａ側のトロイダルコイルＡＬ2は、一方の端子（上部端子）が接続導体１０８Ａを介して空芯コイルＡＬ1の下部端子に接続され、他方の端子（下部端子）が接続導体１１４Ａを介して第２のコンデンサＡＣ2の一方の端子に接続されている。第２のフィルタ１０２Ｂ側のトロイダルコイルＢＬ2は、一方の端子（上部端子）が接続導体１０８Ｂを介して空芯コイルＢＬ1の下部端子に接続され、他方の端子（下部端子）が接続導体１１４Ｂを介して第２のコンデンサＢＣ2の一方の端子に接続されている。
【００５１】
この実施形態では、トロイダルコイルＡＬ2，ＢＬ2と筺体１０４との間でコイル巻線１ターン当たりの浮遊容量を大きくするために、トロイダルコア１１２の厚さｔを通常の倍以上（特に好ましくは４倍以上）に大きくしている。このために、図７に示すように市販品の単体のトロイダルコアＴＣを軸方向（縦方向）に複数（たとえば４個）重ねている。
【００５２】
一般的に、単体のトロイダルコアＴＣにおいては、内半径をａ、外半径をｂ、厚さ（高さ）をｃとすると、コア胴部の横幅（ｂ−ａ）と厚さｃは大体等しく、ｃ≒（ｂ−ａ）の関係が成立する。したがって、単体のトロイダルコアＴＣを２段重ねにした場合のトロイダルコア１１２の厚さ（高さ）ｔはｔ＝２ｃであり、ｔ≒２（ｂ−ａ）の関係が成立する。また、図示の構成例のように単体のトロイダルコアＴＣを４段重ねにした場合のトロイダルコア１１２の厚さ（高さ）ｔはｔ＝４ｃであり、ｔ≒４（ｂ−ａ）の関係が成立する。この実施形態では、ｔ≧２（ｂ−ａ）の関係が成立するように、特に好ましくはｔ≧４（ｂ−ａ）の関係が成立するように、トロイダルコア１１２の厚さｔを常識外れに大きくする構成が採られる。
【００５３】
なお、通常のトロイダルコアは、高周波の周波数帯域では常に集中定数素子として機能する。この実施形態におけるトロイダルコイルＡＬ2，ＢＬ2も、高周波の周波数帯域において、特に第１高周波ＨＦおよび第２高周波ＬＦのそれぞれの基本周波数に対して集中定数素子として機能する。
【００５４】
また、コイルの中にコアが入ると、コア材で高周波電力の損失つまり鉄損が生じる。コア材における鉄損、特にヒステリシス損やうず電流損は、周波数が高くなるほど増える。この実施形態のフィルタユニット５４(IN)においては、周波数の高い第１高周波ＨＦのノイズが、初段の空芯コイルＡＬ1，ＢＬ1により遮断されるので、次段のトロイダルコイルＡＬ2，ＢＬ2には入ってこない。このため、トロイダルコア１１２の鉄損は少ない。このようにトロイダルコア１１２による損失が少ないので、トロイダルコア１１２に比透磁率の高いコア材（たとえばフェライト）を使用し、トロイダルコイルＡＬ2，ＢＬ2の小型化を図ることができる。
【００５５】
第２のコンデンサＡＣ2，ＢＣ2は、市販品の２端子型コンデンサであり、図４に示すように、トロイダルコイルＡＬ2，ＢＬ2のそれぞれの下のスペースに縦向きで対に配置されている。第１のフィルタ１０２Ａ側の第２のコンデンサＡＣ2は、上記のように一方の端子が接続導体１１４Ａを介してトロイダルコイルＡＬ2の下部端子に接続され、他方の端子が電気ケーブル５６(IN) の一方に接続されている。第２のフィルタ１０２Ｂ側の第２のコンデンサＢＣ2は、上記のように一方の端子が接続導体１１４Ｂを介してトロイダルコイルＢＬ2の下部端子に接続され、他方の端子が電気ケーブル５６(IN) の他方に接続されている。
【００５６】
筺体１０４の上端の開口部には、環状の蓋体１１６を介して樹脂製の上部コネクタ１１８が取り付けられている。この上部コネクタ１１８の内部または周囲で両空芯コイルＡＬ1，ＢＬ1の上端が第１および第２のフィルタ端子ＴA，ＴBにそれぞれ電気的に接続される。また、筺体１０４の下端の開口部は、たとえば樹脂製の底板１２０で閉塞されている。なお、筺体１０４の蓋体１１６および底板１２０の一方または両方が導体板であってもよい。
【００５７】
上記のように、このフィルタユニット５４(IN)は、接地される導電性の筺体１０４の中で、最上部つまり初段に空芯コイルＡＬ1，ＢＬ1を筺体１０４と同軸に配置し、その下に第１のコンデンサＡＣ1，ＢＣ1を挟んで次段にトロイダルコイルＡＬ2，ＢＬ2を筺体１０４と同軸に配置し、最下部に第２のコンデンサＡＣ2，ＢＣ2を配置している。
【００５８】
フィルタユニット５４(IN)内の上記レイアウトにおいて、空芯コイルＡＬ1，ＢＬ1は、軸方向（縦方向）に重なり合って並進しながら等しい巻線間隔で螺旋状に巻かれており、しかもコイル長さＨが従来のものよりも大幅に短く、コンパクトな二重コイルのアッセンブリとなっている。一方、トロイダルコイルＡＬ2，ＢＬ2も、共通のトロイダルコア１１２に半周ずつ巻かれており、コンパクトな二重コイルのアッセンブリとなっている。また、トロイダルコイルＡＬ2，ＢＬ2は、上記のように通常のトロイダルコイルに比して高さ（厚み）が倍増してはいるが、同じインダクタンスを有する棒状のソレノイドコイルを縦に配置する場合よりは小さな高さサイズで済んでいる。
【００５９】
そして、トロイダルコイルＡＬ2，ＢＬ2のトロイダルコア１１２が円環の閉磁路を形成し、しかもその上方に位置する空芯コイルＡＬ1，ＢＬ1に対して同軸に配置される（したがって双方の磁束が直交して交差する）ことにより、空芯コイルＡＬ1，ＢＬ1とトロイダルコイルＡＬ2，ＢＬ2との間の電磁的な相互影響を回避できる。したがって、軸方向または縦方向において両コイル［ＡＬ1，ＢＬ1］，［ＡＬ2，ＢＬ2］間の離間距離またはスペースを可及的に小さくすることができる。
【００６０】
このフィルタユニット５４(IN)においては、後述するように、空芯コイルＡＬ1，ＢＬ1が周波数の高い方の第１高周波ＨＦのノイズに対する遮断機能を受け持つ一方、トロイダルコイルＡＬ2，ＢＬ2が周波数の低い方の第２高周波ＬＦのノイズに対する遮断機能を受け持つようになっている。このように、第１高周波ＨＦのノイズに対するフィルタ遮断機能および第２高周波ＬＦのノイズに対するフィルタ遮断機能を空芯コイルＡＬ1，ＢＬ1およびトロイダルコイルＡＬ2，ＢＬ2にそれぞれ役割分担させることで、フィルタユニット５４(IN)全体の設計・製作・調整が容易になり、機差も生じ難くなる。また、フィルタユニット５４(IN)を小型化できるので、サセプタ１２ないしチャンバ１０の下に設けられる各種用力供給系のレイアウト設計が容易になる。
【００６１】
なお、フィルタユニット５４(IN)において、空芯コイルＡＬ1，ＢＬ1とトロイダルコイルＡＬ2，ＢＬ2とを入れ替えること、つまりトロイダルコイルＡＬ2，ＢＬ2を初段に配置し、空芯コイルＡＬ1，ＢＬ1を次段に配置するレイアウトは望ましくない。すなわち、トロイダルコイルＡＬ2，ＢＬ2を初段に配置すると、トロイダルコイルＡＬ2，ＢＬ2は発熱体４０(IN)側から高周波給電ライン１００Ａ，１００Ｂ上に入ってくる第１高周波ＨＦおよび第２高周波ＬＦのノイズのうち周波数の低い方の第２高周波ＬＦのノイズを遮断するものの、周波数の高い方の第１高周波ＨＦのノイズを通過させてしまう。また、第１のコンデンサＡＣ1，ＢＣ1のキャパシタンスは後述するように相当小さな値に選ばれるため、第２高周波ＬＦのノイズはもちろん第１高周波ＨＦのノイズもアースへ逃がさない。このため、第１高周波ＨＦのノイズがトロイダルコイルＡＬ2，ＢＬ2に突入して、第１高周波ＨＦの電流がトロイダルコイルＡＬ2，ＢＬ2を流れる。これによって、トロイダルコア１１２内に鉄損が多量に発生し、トロイダルコア１１２が発熱して高温になる。そして、トロイダルコア１１２の温度がキュリー温度以上に高くなると、透磁率が急激に低下して、第２高周波ＬＦのノイズに対する遮断機能が効かなくなる。
【００６２】
その点、この実施形態のように、初段に空芯コイルＡＬ1，ＢＬ1を配置し、次段にトロイダルコイルＡＬ2，ＢＬ2を配置するレイアウトによれば、空芯コイルＡＬ1，ＢＬ1が周波数の高い方の第１高周波ＨＦのノイズを遮断するので、後段のトロイダルコイルＡＬ2，ＢＬ2には第１高周波ＨＦのノイズが突入することがない。したがって、トロイダルコイルＡＬ2，ＢＬ2には周波数の高い第１高周波ＨＦの電流は殆ど流れず、トロイダルコア１１２が高温に発熱することはない。
［フィルタユニットの作用］
【００６３】
図８に、第１および第２のフィルタ１０２Ａ，１０２Ｂの等価回路を示す。フィルタユニット５４(IN)内の上記のようなレイアウトおよび結線構造により、フィルタ１０２Ａ（１０２Ｂ）の等価回路は、図示のようなものになる。なお、空芯コイルＡＬ1（ＢＬ1）およびトロイダルコイルＡＬ2（ＢＬ2）のそれぞれの抵抗分は無視している。
【００６４】
空芯コイルＡＬ1（ＢＬ1）は、固有の自己インダクタンスを有する正味の誘導性素子またはインダクタＬ1を提供するだけでなく、その周辺に発生するコイル線間容量Ｃ1Kと、筺体１０４との間に発生する浮遊容量（以下、「グランド浮遊容量」と称する。）Ｃ1Fとを併せ持つ。等価回路において、これらの容量Ｃ1K，Ｃ1Fは、インダクタＬ1に並列に接続される。
【００６５】
ここで、空芯コイルＡＬ1（ＢＬ1）におけるインダクタＬ1のインダクタンスは、次の式（１）によって表わされる。
Ｌ1＝ｋ×μ0×π×ｒ2×Ｎ2／Ｈ      ・・・・（１）
ただし、ｋは係数、μ0は真空の透磁率、ｒはコイルの半径、Ｎは巻数、Ｈは軸方向のコイル長さである。
【００６６】
上式（１）のように、インダクタＬ1のインダクタンスは、巻数Ｎの二乗に比例し、コイル長さＨに反比例する。したがって、コイル直径Ｄ（Ｄ＝２ｒ）を一定に保ってコイル長さＨを短くすると、巻数Ｎも同じ割合で減少するので、（つまり巻数Ｎの二乗はより大きな割合で減少するので）、インダクタＬ1のインダクタンスは減少する。この実施形態では、上記のように空芯コイルＡＬ1（ＢＬ1）のコイル長さＨをコイル直径Ｄより短くして、インダクタＬ1のインダクタンスを低目（たとえば５μＨ以下）に設定する。
【００６７】
コイル線間容量Ｃ1Kのキャパシタンスは、コイルＡＬ1（ＢＬ1）の巻線間隔（ピッチ）に依存し、巻数Ｎまたはコイル長さＨには依存しない。一方、グランド浮遊容量Ｃ1Fのキャパシタンスは、筺体１０４からの離間距離と、筺体１０４と向き合うコイル表面の全面積とに依存する。したがって、空芯コイルＡＬ1（ＢＬ1）においては、コイル直径Ｄおよび筺体１０４の直径が一定である限り、コイル長さＨを短くするほど（巻数Ｎを少なくするほど）、インダクタＬ1のインダクタンスが低くなるとともに、グランド浮遊容量Ｃ1Fのキャパシタンスも小さくなる。
【００６８】
もっとも、空芯コイルＡＬ1（ＢＬ1）は１ターン当たりのコイル表面の面積が小さいため、コイル長さＨを変えてもグランド浮遊容量Ｃ1Fのキャパシタンスはそれほど変わらず、コイル線間容量Ｃ1Kのキャパシタンスと同程度（たとえば数ｐＦ）に止まる。
【００６９】
このように、空芯コイルＡＬ1（ＢＬ1）においてインダクタＬ1のインダクタンスが低く、かつグランド浮遊容量Ｃ1Fのキャパシタンスがコイル線間容量Ｃ1Kのキャパシタンスと同程度に小さいことは、空芯コイルＡＬ1（ＢＬ1）の自己共振周波数、つまり後述する第１の並列共振回路１２２より与えられる第１の並列共振周波数ｆPHを相当高い周波数領域に設定するうえで、有利（好都合）である。
【００７０】
一方、トロイダルコイルＡＬ2（ＢＬ2）も、固有の自己インダクタンスを有する正味の誘導性素子またはインダクタＬ2を提供するだけでなく、その周辺に発生するコイル線間容量Ｃ2Kと、筺体１０４との間に発生するグランド浮遊容量Ｃ2Fとを併せ持つ。等価回路において、これらの容量Ｃ2K，Ｃ2Fは、インダクタＬ2に並列に接続される。
【００７１】
ここで、トロイダルコイルＡＬ2（ＢＬ2）におけるインダクタＬ2のインダクタンスは、次の式（２）によって表わされる。
Ｌ2＝Ｎ2×μ×ｔ×ｌｎ（ｂ／ａ）／２π      ・・・・（２）
ただし、Ｎは巻数、μは透磁率、ｔは厚さ（高さ）、ａは内半径、ｂは外半径である。
【００７２】
この実施形態では、上記のようにトロイダルコア１１２には比透磁率の高いコア材（たとえばフェライト）を用いる。そして、トロイダルコア１１２の厚さ（高さ）ｔを上記のように通常の２倍以上（好ましくは４倍以上）に大きくし、巻数Ｎを多めに選ぶことにより、インダクタＬ2のインダクタンスを相当高い値（たとえば１００μＨ以上）に設定することができる。
【００７３】
コイル線間容量Ｃ2Kのキャパシタンスは、コイルＡＬ2（ＢＬ2）の巻線間隔（ピッチ）に依存し、巻数Ｎには依存しない。一方、グランド浮遊容量Ｃ2Fのキャパシタンスは、筺体１０４からの離間距離と、筺体１０４と向き合うコイル表面の全面積とに依存する。したがって、トロイダルコイルＡＬ2（ＢＬ2）においては、筺体１０４の直径およびトロイダルコア１１２のサイズが一定である限り、コイル巻数を多くするほど、インダクタＬ2のインダクタンスが高くなるとともに、グランド浮遊容量Ｃ2Fのキャパシタンスも大きくなる。
【００７４】
特に、上記のように単体のトロイダルコアＴＣを複数重ねた厚み（高さ）ｔの大きいトロイダルコア１１２は、１ターン当たりのコイル表面の面積が大きいため、グランド浮遊容量Ｃ2Fのキャパシタンスはかなり大きく、コイル線間容量Ｃ2Kの４〜５倍以上（たとえば２０ｐＦ以上）にもなる。
【００７５】
このように、トロイダルコイルＡＬ2（ＢＬ2）においてインダクタＬ2のインダクタンスが低く、かつグランド浮遊容量Ｃ2Fのキャパシタンスがコイル線間容量Ｃ2Kのキャパシタンスより格段に大きいことは、トロイダルコイルＡＬ2（ＢＬ2）の自己共振周波数、つまり後述する第２の並列共振回路１２４より与えられる第２の並列共振周波数ｆPLを相当低い周波数領域に設定するうえで、有利（好都合）である。
【００７６】
第１のコンデンサＡＣ1（ＢＣ1）および第２のコンデンサＡＣ2（ＢＣ2）は、特に寄生容量や浮遊容量を併有せず、等価回路において仕様通りのキャパシタンスを有する第１および第２のキャパシタＣ1C，Ｃ2Cとして機能する。後述するように、フィルタ１０２Ａ（１０２Ｂ）の周波数−インピーダンス特性において、上記第２の並列共振周波数ｆPLと上記第１の並列共振周波数ｆPHとの程良い中間に第１の直列共振周波数ｆSHが得られるように第１のキャパシタＣ1Cのキャパシタンスが選定され、また上記第２の並列共振周波数ｆPLよりもずっと低い周波数帯域に第２の直列共振周波数ｆSLが得られるように第２のキャパシタＣ2Cのキャパシタンスが選定される。
【００７７】
上記のようなフィルタ１０２Ａ（１０２Ｂ）の等価回路においては、空芯コイルＡＬ1（ＢＬ1）のインダクタＬ1とコイル線間容量Ｃ1Kおよびグランド浮遊容量Ｃ1Fとによって、第１高周波ＨＦの基本周波数に一致または近接する第１の並列共振周波数ｆPHを有する第１の並列共振回路１２２が形成される。ここで、第１の並列共振周波数ｆPHは、空芯コイルＡＬ1（ＢＬ1）の自己共振周波数でもあり、次の式（３）で表わされる。
ｆPH＝１／２π√Ｌ1（Ｃ1K＋Ｃ1F）    ・・・・（３）
【００７８】
また、トロイダルコイルＡＬ2（ＢＬ2）のインダクタＬ2とコイル線間容量Ｃ2Kおよびグランド浮遊容量Ｃ2Fとによって、第２高周波ＬＦの基本周波数に一致または近接する第２の並列共振周波数ｆPLを有する第２の並列共振回路１２４が形成される。ここで、第２の並列共振周波数ｆPLは、トロイダルコイルＡＬ2（ＢＬ2）の自己共振周波数でもあり、次の式（４）で表わされる。
ｆPL＝１／２π√Ｌ2（Ｃ2K＋Ｃ2F）    ・・・・（４）
【００７９】
そして、空芯コイルＡＬ1（ＢＬ1）のインダクタＬ1と、第１のコンデンサＡＣ1（ＢＬ1）つまり第１のキャパシタＣ1Cと、トロイダルコイルＡＬ2（ＢＬ2）のインダクタＬ2とコイル線間容量Ｃ2Kおよびグランド浮遊容量Ｃ2Fと、第２のコンデンサＡＣ2（ＢＬ2）つまり第２のキャパシタＣ2Cとによって、第２の並列共振周波数ｆPLと第１の並列共振周波数ｆPHとの間に第１の直列共振周波数ｆSHを有する第１の直列共振回路１２６が形成される。
【００８０】
また、トロイダルコイルＡＬ2（ＢＬ2）のインダクタＬ2と第２のコンデンサＡＣ2（ＢＬ2）つまり第２のキャパシタＣ2Cとによって、第２高周波ＬＦの基本周波数よりも低い第２の直列共振周波数ｆSLを有する第２の直列共振回路１２８が形成される。
【００８１】
図９に、この実施形態のプラズマ処理装置において、第１高周波ＨＦの基本周波数が４０．６８ＭＨｚ、第２高周波ＬＦの基本周波数が３．２ＭＨｚである場合に、上記構成のフィルタ１０２Ａ（１０２Ｂ）によって得られる周波数−インピーダンス特性の一例を示す。
【００８２】
図示の周波数−インピーダンス特性では、第１の並列共振周波数ｆPHを第１高周波ＨＦの基本周波数（４０．６８ＭＨｚ）に一致させており、これは容易に実現できる。すなわち、上記のように、空芯コイルＡＬ1（ＢＬ1）の巻数Ｎまたはコイル長さＨを変えると、コイル線間容量Ｃ1Kのキャパシタンスは変わらないが、インダクタＬ1のインダクタンスとグランド浮遊容量Ｃ1Fのキャパシタンスがコイル長さＨ（巻数Ｎ）の変化量に応じて同じ方向に変化し、上記の式（３）により第１の並列共振周波数ｆPHが単調に変化する。したがって、空芯コイルＡＬ1（ＢＬ1）の巻数Ｎまたはコイル長さＨを調整することによって、第１の並列共振周波数ｆPHを第１高周波ＨＦの基本周波数（４０．６８ＭＨｚ）に一致させることができる。
【００８３】
また、図示の周波数−インピーダンス特性では、第２の並列共振周波数ｆPLを第２高周波ＬＦの基本周波数（３．２ＭＨｚ）に一致させており、これも容易に実現できる。すなわち、上記のように、トロイダルコイルＡＬ2（ＢＬ2）の巻数Ｎを変えると、コイル線間容量Ｃ2Kのキャパシタンスは変わらないが、インダクタＬ2のインダクタンスとグランド浮遊容量Ｃ2Fのキャパシタンスが巻数Ｎの変化量に応じて同じ方向に変化し、上記の式（４）により第２の並列共振周波数ｆPLが単調に変化する。また、トロイダルコア１１２を構成する単体トロイダルコアＴＣの積層数を変えると、インダクタＬ2のインダクタンスとグランド浮遊容量Ｃ2Fのキャパシタンスが同じ方向に大きなステップで変化して、上記の式（４）により第２の並列共振周波数ｆPLがステップ的に変化する。したがって、大まかな調整を行うときはトロイダルコア１１２を構成する単体トロイダルコアＴＣの積層数を変えることによって、精細な調整を行うときはトロイダルコイルＡＬ2（ＢＬ2）の巻数Ｎを変えることによって、第２の並列共振周波数ｆPLを第２高周波ＬＦの基本周波数（３．２ＭＨｚ）に一致させることができる。
【００８４】
もっとも、この実施形態では、第１の直列共振周波数ｆSHを第２の並列共振周波数ｆPLと第１の並列共振周波数ｆPHの程良い中間（たとえば１５〜２０ＭＨｚ）に設定し、第２の直列共振周波数ｆSLを第２の並列共振周波数ｆPLよりずっと低い周波数領域（たとえば２００〜４００Ｈｚ）に設定することにより、各並列共振点付近の特性を緩やか（ブロード）にすることができる。これによって、第１の並列共振周波数ｆPHが第１高周波ＨＦの基本周波数（４０．６８ＭＨｚ）から多少ずれていても（図示の例では±５ＭＨｚ程度ずれても）、第１高周波ＨＦのノイズに対して十分高いインピーダンスを与えることができる。また、第２の並列共振周波数ｆPLが第２高周波ＬＦの基本周波数（３．２ＭＨｚ）から多少ずれていても（図示の例では±１ＭＨｚ程度ずれていても）、第２高周波ＬＦのノイズに対して十分高いインピーダンスを与えることができる。
【００８５】
このようにフィルタ１０２Ａ（１０２Ｂ）の周波数−インピーダンス特性において第１および第２の並列共振周波数ｆPH，ｆPL付近の特性を緩やか（ブロード）にすることにより、第１高周波ＨＦのノイズおよび第２高周波ＬＦのノイズに対してそれぞれ十分高いインピーダンスまたは遮断機能が得られる並列共振周波数付近の範囲（近接範囲）を拡張することができる。
【００８６】
具体的な手順として、第２の直列共振周波数ｆSLは、上記のようにして第１の並列共振周波数ｆPHおよび第２の並列共振周波数ｆPLを決めた後に、第２のコンデンサＡＣ2（ＢＣ2）のキャパシタンスを適当な値（たとえば４０００ｐＦ以上）に選定または調整することによって、第２の並列共振周波数ｆPLよりずっと低い所望の値に設定される。
【００８７】
また、第１の直列共振周波数ｆSHは、上記のようにして第２の直列共振周波数ｆSLを決めた後に、第１のコンデンサＡＣ1（ＢＣ1）のキャパシタンスを適当な値（たとえば２０ｐＦ以下）に選定または調整することによって、第２の並列共振周波数ｆPLと第１の並列共振周波数ｆPHとの間の程良い値に設定される。
【００８８】
なお、フィルタ１０２Ａ（１０２Ｂ）の周波数−インピーダンス特性において、第２の並列共振周波数ｆPLの前後および第１の並列共振周波数ｆPHの前後でそれぞれ対称なブロードの特性を得るには、図９に示すように、第１の直列共振周波数ｆSHを第２の並列共振周波数ｆPL（３．２ＭＨｚ）と第１の並列共振周波数ｆPH（４０．６８ＭＨｚ）の真中辺り（２１．９ＭＨｚ付近）ではなく、幾らか第２の並列共振周波数ｆPL寄り（１７ＭＨｚ付近）に設定するのが望ましい。
【００８９】
上記のように、この実施形態のフィルタ１０２Ａ（１０２Ｂ）においては、第１高周波ＨＦの基本周波数に一致または近接する自己共振周波数ｆPHを有する初段の空芯コイルＡＬ1（ＢＬ1）が、サセプタ１２内の発熱体４０側からヒータ給電ライン１０２Ａ（１０２Ｂ）上に入ってくる周波数の高い方の第１高周波ＨＦのノイズに対してインピーダンスの十分高いフィルタ遮断機能を奏し、第１高周波ＨＦのノイズと一緒に入ってくる周波数の低い方の第２高周波ＬＦのノイズを通過させる。そして、第２高周波ＬＦの基本周波数に一致または近接する自己共振周波数ｆPLを有する次段のトロイダルコイルＡＬ2（ＢＬ2）が、初段の空芯コイルＡＬ1（ＢＬ1）を通過してきた第２高周波ＬＦのノイズに対してインピーダンスの十分高いフィルタ遮断機能を奏する。空芯コイルＡＬ1（ＢＬ1）の自己共振周波数ｆPHとトロイダルコイルＡＬ2（ＢＬ2）の自己共振周波数ｆPLとは互いに独立しており、上記のように各々のコイルにおいて独立に調整することができる。
［第２の実施形態］
【００９０】
図１０に、第２の実施形態におけるプラズマ処理装置の構成を示す。図中、上述した第１実施形態のプラズマ処理装置（図１）と同様の構成または機能を有する部分には同一の符号を付している。
【００９１】
このプラズマ処理装置は、下部２周波／上部１周波印加方式の容量結合型プラズマエッチング装置として構成されている。このプラズマエッチング装置において、上述した第１実施形態のプラズマエッチング装置（図１）と異なる主な点は、プラズマを生成するための第１高周波ＨＦを上部電極６４に印加し、半導体ウエハＷに引き込まれるイオンのエネルギー（バイアス）をより大きな自由度で多様に制御するために周波数の異なる第２および第３高周波ＬＦ，ＭＦをサセプタ１２に重畳して印加する構成にある。ここで、第３高周波ＭＦの周波数は、第２高周波ＬＦの周波数（たとえば３．２ＭＨｚ）よりも高い値（たとえば１２．８８ＭＨｚ）に選ばれる。
【００９２】
この実施形態のプラズマエッチング装置では、上部電極６４はリング状の絶縁体１３０を介してチャンバ１０の上面に取り付けられている。プラズマ生成用の第１高周波ＨＦを出力する第１の高周波電源２８は、マッチングユニット１３２および上部給電棒１３４を介して上部電極６４に電気的に接続されている。また、イオン引き込み用の第２および第３高周波ＬＦ，ＭＦをそれぞれ出力する第２および第３の高周波電源３６，１３６は、マッチングユニット３２内の整合器（図示せず）および下部給電棒３４を介してサセプタ１２に電気的に接続されている。制御部７５は、エッチング加工の仕様、条件またはレシピに応じて、高周波電源３６，１３６より出力される第２および第３高周波ＬＦ，ＭＦのトータルパワーおよびパワー比を制御するようになっている。
【００９３】
この実施形態では、上記のような下部２周波／上部１周波印加方式に対応するために、フィルタユニット５４(IN)内でフィルタ１０２Ａ（１０２Ｂ）のレイアウトおよび結線を図１１に示すように構成している。
【００９４】
図１１において、より詳しくは、接地された導電性筺体１０４の中に、空芯コイルＡＬ1（ＢＬ1）、第１のコンデンサＡＣ1（ＢＣ1）、上部トロイダルコイルＡＬ3（ＢＬ3）、第３のコンデンサＡＣ3（ＢＣ3）、下部トロイダルコイルＡＬ2（ＢＬ2）、第２のコンデンサＡＣ2（ＢＣ2）を上から下にこの順序で配置している。
【００９５】
このフィルタ１０２Ａ（１０２Ｂ）の構成において、上述した第１の実施形態（図４）と異なるのは、第１のコンデンサＡＣ1（ＢＣ1）とトロイダルコイルＡＬ2（ＢＬ2）との間に、上部トロイダルコイルＡＬ3（ＢＬ3）および第３のコンデンサＡＣ3（ＢＣ3）が追加または増設されていることである。他のリアクタンス素子の構成および機能は、第１の実施形態と殆ど同じである。
【００９６】
上部トロイダルコイルＡＬ3（ＢＬ3）は、筺体１０４と同軸に配置される共通のトロイダルコア１４０にそれぞれのコイル導体を約半周ずつ螺旋状に巻き付けている。ここで、両トロイダルコイルＡＬ3（ＢＬ3）のコイル導体は、両コイルに高周波の電流が同じ位相で流れた時にトロイダルコア１４０内に発生するそれぞれの磁束が周回方向で同じ向きになる（足し合わさる）ように、逆向きに巻かれている。トロイダルコア１４０は、比透磁率の高いコア材たとえばNi-Zn系フェライトからなり、円環の閉磁路を形成している。
【００９７】
第１のフィルタ１０２Ａ側の上部トロイダルコイルＡＬ3は、一方の端子（上部端子）が接続導体１０８Ａ（接続点ＮA）を介して空芯コイルＡＬ1の下部端子に接続され、他方の端子（下部端子）が接続導体１４２Ａ（接続点ＮC）を介して下部トロイダルコイルＡＬ2の上部端子に接続されている。第２のフィルタ１０２Ｂ側の上部トロイダルコイルＢＬ3は、一方の端子（上部端子）が接続導体１０８Ｂ（接続点ＮB）を介して空芯コイルＢＬ1の下部端子に接続され、他方の端子（下部端子）が接続導体１４２Ｂ（接続点ＮD）を介して下部トロイダルコイルＢＬ2の上部端子とに接続されている。
【００９８】
この第２の実施形態では、上部トロイダルコイルＡＬ3（ＢＬ3）の自己共振周波数ｆPMを第３高周波ＭＦの周波数に対応または近似させるために、上部トロイダルコアＡＬ3（ＢＬ3）の厚さｔを下部トロイダルコアＡＬ2（ＢＬ2）の厚さｔよりも小さくし、たとえば単体のトロイダルコアＴＣを軸方向（縦方向）に２個重ねている。また、上部トロイダルコイルＡＬ3（ＢＬ3）の巻線Ｎを下部トロイダルコアＡＬ2（ＢＬ2）の巻線Ｎよりも少なくしている。
【００９９】
第３のコンデンサＡＣ3（ＢＣ3）は、市販品の２端子型コンデンサであり、上部トロイダルコイルＡＬ3（ＢＬ3）と下部トロイダルコイルＡＬ2（ＢＬ2）との間のスペースに横向きで対に配置されている。第１のフィルタ１０２Ａ側の第３のコンデンサＡＣ3は、一方の端子が接続導体１４２Ａ（接続点ＮC）を介して上部トロイダルコイルＡＬ3の下部端子と下部トロイダルコイルＡＬ2の上部端子とに接続され、他方の端子が接続導体１４４Ａを介して筺体１０４の側壁に接続されている。第２のフィルタ１０２Ｂ側の第３のコンデンサＢＣ3は、一方の端子が接続導体１４２Ｂ（接続点ＮD）を介して上部トロイダルコイルＢＬ3の下部端子と下部トロイダルコイルＢＬ2の上部端子とに接続され、他方の端子が接続導体１４４Ｂを介して筺体１０４の側壁に接続されている。
【０１００】
図１２に、この第２の実施形態における第１および第２のフィルタ１０２Ａ，１０２Ｂの等価回路を示す。この等価回路においては、上記第１実施形態と同様に、空芯コイルＡＬ1（ＢＬ1）のインダクタＬ1とコイル線間容量Ｃ1Kおよびグランド浮遊容量Ｃ1Fとによって、第１高周波ＨＦの基本周波数に一致または近接する第１の並列共振周波数ｆPHを有する第１の並列共振回路１２２が形成される。
【０１０１】
また、上部トロイダルコイルＡＬ3（ＢＬ3）のインダクタＬ3とコイル線間容量Ｃ3Kおよびグランド浮遊容量Ｃ3Fとによって、第３高周波ＭＦの基本周波数に一致または近接する第３の並列共振周波数ｆPMを有する第３の並列共振回路１４６が形成される。ここで、第３の並列共振周波数ｆPMは、上部トロイダルコイルＡＬ3（ＢＬ3）の自己共振周波数でもあり、次の式（５）で表わされる。
ｆPM＝１／２π√Ｌ3（Ｃ3K＋Ｃ3F）    ・・・・（５）
【０１０２】
また、上記第１実施形態と同様に、下部トロイダルコイルＡＬ2（ＢＬ2）のインダクタＬ2とコイル線間容量Ｃ2Kおよびグランド浮遊容量Ｃ2Fとによって、第２高周波ＬＦの基本周波数に一致または近接する第２の並列共振周波数ｆPLを有する第２の並列共振回路１２４が形成される。
【０１０３】
そして、空芯コイルＡＬ1（ＢＬ1）のインダクタＬ1と、第１のコンデンサＡＣ1（ＢＣ1）つまり第１のキャパシタＣ1Cと、上部トロイダルコイルＡＬ3（ＢＬ3）のインダクタＬ3とコイル線間容量Ｃ3Kおよびグランド浮遊容量Ｃ3Fと、第３のコンデンサＡＣ3（ＢＣ3）つまり第３のキャパシタＣ3Cと、下部トロイダルコイルＡＬ2（ＢＬ2）のインダクタＬ2とコイル線間容量Ｃ2Kおよびグランド浮遊容量Ｃ2Fと、第２のコンデンサＡＣ2（ＢＣ2）つまり第２のキャパシタＣ2Cとによって、第３の並列共振周波数ｆPMと第１の並列共振周波数ｆPHとの間に第１の直列共振周波数ｆSHを有する第１の直列共振回路１２６が形成される。
【０１０４】
また、上部トロイダルコイルＡＬ3（ＢＬ3）のインダクタＬ3と、第３のコンデンサＡＣ3（ＢＣ3）つまり第３のキャパシタＣ3Cと、下部トロイダルコイルＡＬ2（ＢＬ2）のインダクタＬ3とコイル線間容量Ｃ3Kおよびグランド浮遊容量Ｃ3Fと、第２のコンデンサＡＣ2（ＢＣ2）つまり第２のキャパシタＣ2Cとによって、第２の並列共振周波数ｆPLと第３の並列共振周波数ｆPMとの間に第３の直列共振周波数ｆSMを有する第３の直列共振回路１４８が形成される。
【０１０５】
また、下部トロイダルコイルＡＬ2（ＢＬ2）のインダクタＬ2と第２のコンデンサＡＣ2（ＢＣ2）つまり第２のキャパシタＣ2Cとによって、上記第１の実施形態と同様に、第２高周波ＬＦの基本周波数よりも低い第２の直列共振周波数ｆSLを有する第２の直列共振回路１２８が形成される。
【０１０６】
図１３に、この実施形態のプラズマ処理装置において、第１高周波ＨＦの周波数が４０．６８ＭＨｚ、第２高周波ＬＦの周波数が３．２ＭＨｚ、第３高周波ＭＦが１２．８８である場合に、上記構成のフィルタ１０２Ａ（１０２Ｂ）によって得られる周波数−インピーダンス特性の一例を示す。
【０１０７】
上記第１の実施形態と同様に、空芯コイルＡＬ1（ＢＬ1）の巻数Ｎまたはコイル長さＨを調整することによって、第１の並列共振周波数ｆPHを第１高周波ＨＦの基本周波数（４０．６８ＭＨｚ）に一致させることができる。
【０１０８】
また、大まかな調整を行うときはトロイダルコア１４０を構成する単体トロイダルコアＴＣの積層数を変えることによって、精細な調整を行うときは上部トロイダルコイルＡＬ3（ＢＬ3）の巻数Ｎを変えることによって、第３の並列共振周波数ｆPMを第３高周波ＭＦの基本周波数（１２．８８ＭＨｚ）に一致させることができる。
【０１０９】
また、大まかな調整を行うときはトロイダルコア１２２を構成する単体トロイダルコアＴＣの積層数を変えることによって、精細な調整を行うときは下部トロイダルコイルＡＬ2（ＢＬ2）の巻数Ｎを変えることによって、第２の並列共振周波数ｆPLを第２高周波ＬＦの基本周波数（３．２ＭＨｚ）に一致させることができる。
【０１１０】
さらに、この実施形態では、第１の直列共振周波数ｆSHを第３の並列共振周波数ｆPMと第１の並列共振周波数ｆPHの程良い中間（たとえば２２〜２５ＭＨｚ）に設定し、第３の直列共振周波数ｆSMを第２の並列共振周波数ｆPLと第３の並列共振周波数ｆPMの程良い中間（たとえば６〜８ＭＨｚ）に設定し、第２の直列共振周波数ｆSLを第２の並列共振周波数ｆP2よりずっと低い周波数領域（たとえば２００〜４００Ｈｚ）に設定することにより、各並列共振点付近の特性を緩やか（ブロード）にすることができる。これによって、第１の並列共振周波数ｆPHが第１高周波ＨＦの基本周波数（４０．６８ＭＨｚ）から多少ずれていても（図示の例では±５ＭＨｚ程度ずれても）、第１高周波ＨＦのノイズに対して十分高いインピーダンスを与えることができる。また、第３の並列共振周波数ｆPMが第３高周波ＭＦの基本周波数（１２．８８ＭＨｚ）から多少ずれていても（図示の例では±２ＭＨｚ程度ずれていても）、第３高周波ＭＦのノイズに対して十分高いインピーダンスを与えることができる。また、第２の並列共振周波数ｆPLが第２高周波ＬＦの基本周波数（３．２ＭＨｚ）から多少ずれていても（図示の例では±１ＭＨｚ程度ずれていても）、第２高周波ＬＦのノイズに対して十分高いインピーダンスを与えることができる。
【０１１１】
このようにフィルタ１０２Ａ（１０２Ｂ）の周波数−インピーダンス特性において第１、第２および第３の並列共振周波数ｆPH，ｆPL，ｆPM付近の特性を緩やか（ブロード）にすることにより、第１高周波ＨＦのノイズ、第２高周波ＬＦのノイズおよび第３高周波ＭＦのノイズに対してそれぞれ十分高いインピーダンスまたは遮断機能が得られる並列共振周波数付近の範囲（近接範囲）を拡張することができる。
【０１１２】
このように各並列共振点付近の周波数−インピーダンス特性を緩やか（ブロード）にすることにより、第１高周波ＨＦのノイズおよび第２高周波ＬＦのノイズに対してそれぞれ十分高いインピーダンスまたは遮断機能が得られる並列共振点付近の範囲（近接範囲）を拡張することができる。
【０１１３】
具体的な手順として、第２の直列共振周波数ｆSLは、上記のようにしてすべての並列共振周波数ｆPL，ｆPM，ｆPHを決めてから、第２のコンデンサＡＣ2（ＢＣ2）つまり第２のキャパシタＣ2Cのキャパシタンスを適当な値（たとえば４０００ｐＦ以上）に選定または調整することによって、第２の並列共振周波数ｆPLよりもずっと低い所望の値に設定される。
【０１１４】
また、第３の直列共振周波数ｆSMは、上記のようにして第２の直列共振周波数ｆSLを決めた後に、第３のコンデンサＡＣ3（ＢＣ3）つまり第３のキャパシタＣ3Cのキャパシタンスを適当な値（たとえば３０〜６０ｐＦ）に選定または調整することによって、第２の並列共振周波数ｆPLと第３の並列共振周波数ｆPMの程良い中間に設定される。
【０１１５】
また、第１の直列共振周波数ｆSHは、上記のようにして第３の直列共振周波数ｆSMを決めた後に、第１のコンデンサＡＣ1（ＢＣ1）つまり第１のキャパシタＣ1Cのキャパシタンスを適当な値（たとえば１０ｐＦ以下）に選定または調整することによって、第３の並列共振周波数ｆPMと第１の並列共振周波数ｆPHの程良い中間に設定される。
【０１１６】
なお、フィルタ１０２Ａ（１０２Ｂ）の周波数−インピーダンス特性において、第２の並列共振周波数ｆPLの前後および第３の並列共振周波数ｆPMの前後でそれぞれ左右（前後）対称なブロードの特性を得るには、図１３に示すように、第３の直列共振周波数ｆSMを第２の並列共振周波数ｆPL（３．２ＭＨｚ）と第３の並列共振周波数ｆPM（１２．８８ＭＨｚ）の真中辺り（８ＭＨｚ付近）に設定するのが好ましい。
【０１１７】
また、第３の並列共振周波数ｆPMの前後および第１の並列共振周波数ｆPHの前後でそれぞれ対称なブロードの特性を得るには、図１３に示すように、第１の直列共振周波数ｆSHを第３の並列共振周波数ｆPM（１２．８８ＭＨｚ）と第１の並列共振周波数ｆPH（４０．６８ＭＨｚ）の真中辺り（２６．８ＭＨｚ付近）ではなく、幾らか第３の並列共振周波数ｆPM寄り（２３ＭＨｚ付近）に設定するのが望ましい。
【０１１８】
このように、この実施形態のフィルタ１０２Ａ（１０２Ｂ）においては、第１高周波ＨＦの基本周波数に一致または近接する自己共振周波数ｆPHを有する初段の空芯コイルＡＬ1（ＢＬ1）が、サセプタ１２内の発熱体４０(IN)側からヒータ給電ライン１０２Ａ（１０２Ｂ）上に入ってくる第１高周波ＨＦのノイズに対してインピーダンスの十分高いフィルタ遮断機能を奏し、第１高周波ＨＦのノイズと一緒に入ってくる第３高調波ＭＦおよび第２高周波ＬＦのノイズを通過させる。そして、第３高周波ＭＦの基本周波数に一致または近接する自己共振周波数ｆPMを有する次段の上部トロイダルコイルＡＬ3（ＢＬ3）が、初段の空芯コイルＡＬ1（ＢＬ1）を通過してきた第３高周波ＭＦのノイズに対してインピーダンスの十分高いフィルタ遮断機能を奏し、第２高周波ＬＦのノイズを通過させる。そして、第２高周波ＬＦの基本周波数に一致または近接する自己共振周波数ｆPLを有する後段の下部トロイダルコイルＡＬ2（ＢＬ2）が、上部トロイダルコイルＡＬ3（ＢＬ3）を通過してきた第２高周波ＬＦのノイズに対してインピーダンスの十分高いフィルタ遮断機能を奏する。
【０１１９】
空芯コイルＡＬ1（ＢＬ1）の自己共振周波数ｆPHと、上部トロイダルコイルＡＬ3（ＢＬ3）の自己共振周波数ｆPMと、下部トロイダルコイルＡＬ2（ＢＬ2）の自己共振周波数ｆPLとは互いに独立しており、上記のように各々のコイルにおいて独立に調整することができる。
【０１２０】
この実施形態においては、プラズマ処理中にサセプタ１２内の内側発熱体４０(IN)および外側発熱体４０(OUT)からヒータ給電ライン上に入ってくる第１、第２および第３高周波ＨＦ，ＬＦ，ＭＦのノイズのいずれに対しても、インピーダンスの十分に高いフィルタ遮断機能を低消費電力で効率的にかつ安定確実に発揮する。これにより、この実施形態におけるプラズマエッチング装置も、ヒータ方式のウエハ温度制御機能を改善できるとともに、チャンバ１０からヒータ給電ライン上に第１および第２高周波ＨＦ，ＬＦのパワーが漏れるのを効果的に防止または低減し、プラズマプロセスの再現性・信頼性を向上させることができる。
【０１２１】
なお、上述した第２の実施形態の一変形例として、プラズマ生成用の第１の高周波電源２８をサセプタ１２に接続し、下部３周波印加方式の容量結合型プラズマエッチング装置とすることができる。
［第３の実施形態］
【０１２２】
図１４に、第３の実施形態におけるフィルタユニット５４(IN)内の物理的構造を示す。図１５に、このフィルタユニット５４(IN)に搭載されるフィルタ１０２Ａ（１０２Ｂ）の等価回路を示す。
【０１２３】
この実施形態では、トロイダルコイルＡＬ2（ＢＬ2）と電気的に並列に接続される第４のコンデンサＡＣ4（ＢＣ4）が筺体１０４内に設けられる。このコンデンサＡＣ4（ＢＣ4）は、市販品の２端子型コンデンサであり、図１４に示すように、好ましくはトロイダルコイルＡＬ2（ＢＬ2）の下で第２のコンデンサＡＣ2（ＢＣ2）の横隣に配置され、一方の端子が接続導体１５０Ａ（１５０Ｂ）を介してトロイダルコイルＡＬ2（ＢＬ2）の上部端子に接続され、他方の端子が接続導体１５２Ａ（１５２Ｂ）を介してトロイダルコイルＡＬ2（ＢＬ2）の下部端子に接続されている。
【０１２４】
この実施形態では、図１５に示すように、トロイダルコイルＡＬ2（ＢＬ2）のインダクタＬ2とコイル線間容量Ｃ2Kおよびグランド浮遊容量Ｃ2Fと第４のコンデンサＡＣ4（ＢＣ4）つまり第４のキャパシタＣ4Cとによって、第２高周波ＬＦの基本周波数に一致または近接する第２の並列共振周波数ｆPLを有する第２の並列共振回路１２２が形成される。ここで、第２の並列共振周波数ｆPLは、次の式（６）で表わされる。
ｆPL＝１／２π√Ｌ2（Ｃ2K＋Ｃ2F＋Ｃ4C）    ・・・・（６）
【０１２５】
このように、第２の並列共振回路１２２に第４のコンデンサＡＣ4（ＢＣ4）を加えることにより、合成容量（Ｃ2K＋Ｃ2F＋Ｃ4C）を大きくして、第２の並列共振周波数ｆPLを可及的に低い周波数領域に設定することができる。したがって、第２高周波ＬＦの基本周波数が相当低い値（たとえば４００ｋＨｚ）である場合には、トロイダルコイルＡＬ2（ＢＬ2）の物理的なレイアウトや電気的な特性に特段の変更を加えずに（Ｌ2，Ｃ2Fの値を増やさなくても）、第４のコンデンサＡＣ4（ＢＣ4）のキャパシタンスを適宜選定することにより、第２の並列共振周波数ｆPLを第２高周波ＬＦの基本周波数（４００ｋＨｚ）に一致または近接させることができる。
【０１２６】
この実施形態における第１の直列共振回路１２６は、空芯コイルＡＬ1（ＢＬ1）のインダクタＬ1と、第１のコンデンサＡＣ1（ＢＬ1）つまり第１のキャパシタＣ1Cと、トロイダルコイルＡＬ2（ＢＬ2）のインダクタＬ2とコイル線間容量Ｃ2Kおよびグランド浮遊容量Ｃ2Fと、第４のコンデンサＡＣ4（ＢＣ4）つまり第４のキャパシタＣ4Cと、第２のコンデンサＡＣ2（ＢＬ2）つまり第２のキャパシタＣ2Cとによって形成される。上述した第１の実施形態と同様に、第１のコンデンサＡＣ1（ＢＬ1）のキャパシタンスを適宜選定することにより、この直列共振回路１２６における第１の直列共振周波数ｆSHを第２の並列共振周波数ｆPLと第１の並列共振周波数ｆPHとの程良い中間に設定することができる。
【０１２７】
この実施形態における第１の並列共振回路１２２は、第１の実施形態と同様に、空芯コイルＡＬ1（ＢＬ1）のインダクタＬ1とコイル線間容量Ｃ1Kおよびグランド浮遊容量Ｃ1Fとによって形成される。また、第２の並列共振回路１２８も、第１の実施形態と同様に、トロイダルコイルＡＬ2（ＢＬ2）のインダクタＬ2と第２のコンデンサＡＣ2（ＢＬ2）つまり第２のキャパシタＣ2Cとによって形成される。
【０１２８】
なお、図１４のフィルタユニット５４(IN)は２周波タイプのものであるが、３周波タイプのフィルタユニット５４(IN)にもこの実施形態を適用することができる。すなわち、たとえば図１１のフィルタユニット５４(IN)において、下部トロイダルコイルＡＬ2（ＢＬ2）と電気的に並列に接続される第４のコンデンサＡＣ4（ＢＣ4）を筺体１０４内に設けることができる。さらに、必要に応じて、上部トロイダルコイルＡＬ3（ＢＬ3）と電気的に並列に接続される第５のコンデンサ（図示せず）を筺体１０４内に設けることもできる。
［他の実施形態または変形例］
【０１２９】
空芯コイルＡＬ1（ＢＬ1）において、コイルの直径（外径）Ｄに対するコイル長さＨの比Ｈ／Ｄを１以上とすることも可能である。一般に、空芯コイルＡＬ1（ＢＬ1）を細長くするほど、Ｈ／Ｄが大きくなる。逆に、空芯コイルＡＬ1（ＢＬ1）を太くて短くするほど、Ｈ／Ｄが小さくなる。
【０１３０】
上述した実施形態におけるトロイダルコイルＡＬ2（ＢＬ2），ＡＬ3（ＢＬ3）は、単体のトロイダルコアＴＣを複数重ねた１個のトロイダルコア１１２，１４０にコイル導体を巻き付けている。この形式のトロイダルコイルをコンデンサを挟まずに複数個直列に接続したものを１個または１組のトロイダルコイルとすることも可能である。
【０１３１】
また、図１６に示すように、単体のトロイダルコアＴＣにコイル導体を巻き付けた単体のトロイダルコイルＴＲを複数個（図示の例は３個）直列に接続してなる複合型のトロイダルコイルＡＬを使用することもできる。なお、図１６では、第１の給電ライン１００Ａ上のトロイダルコイルＡＬのみを示し、第２の給電ライン１００Ｂ上のトロイダルコイルＢＬを図示省略している。
【０１３２】
上述した実施形態では、フィルタ１０２Ａ（１０２Ｂ）に含まれるコンデンサＡＣ1（ＢＣ1）、ＡＣ2（ＢＣ2）、ＡＣ3（ＢＣ3）、ＡＣ4（ＢＣ4）を筺体１０４の中に収容した。しかし、これらのコンデンサの一部または全部を筺体１０４の外に配置する構成も可能である。また、これらのコンデンサに対して筺体１０４以外の接地電位部材を用いることもできる。
【０１３３】
本発明は、ヒータ給電線等の電源線用のフィルタに限定されるものでは決してなく、チャンバ内に設けられる所定の電気的部材とチャンバの外に設けられる電力系または信号系の外部回路とを電気的に接続する一対の線路または単一の線路上に設けられる任意のフィルタまたはフィルタユニットに適用可能である。
【０１３４】
また、本発明は、プラズマエッチング装置に限定されず、プラズマＣＶＤ、プラズマ酸化、プラズマ窒化、スパッタリングなどの他のプラズマ処理装置にも適用可能である。また、本発明における被処理基板は半導体ウエハに限るものではなく、フラットパネルディスプレイ、有機ＥＬ、太陽電池用の各種基板や、フォトマスク、ＣＤ基板、プリント基板等も可能である。
【符号の説明】
【０１３５】
１０    チャンバ
１２    サセプタ（下部電極）
２４     排気装置
２８   （プラズマ生成用）高周波電源
３０，１３６   （イオン引き込み用）高周波電源
３２，１３２     マッチングユニット
４０    発熱体
４０(IN)     内側の発熱線
４０(OUT)     外側の発熱線
５４(IN)，５４(OUT)     フィルタユニット
５８(IN)，５８(OUT)     ヒータ電源
１００(A)     第１の給電ライン
１００(B)     第２の給電ライン
１０２(A)     第１のフィルタ
１０２(B)     第２のフィルタ
１０４    筺体
ＡＬ1，ＢＬ1    空芯コイル
ＡＬ2，ＢＬ2    （下部）トロイダルコイル
ＡＬ3，ＢＬ3    上部トロイダルコイル
ＡＣ1，ＢＣ1    第１のコンデンサ
ＡＣ2，ＢＣ2    第２のコンデンサ
ＡＣ3，ＢＣ3    第３のコンデンサ
ＡＣ4，ＢＣ4    第４のコンデンサ
１１２，１４０    トロイダルコア
【図１】
2014056706.tif 000003
【図２】
2014056706.tif 000004
【図３】
2014056706.tif 000005
【図４】
2014056706.tif 000006
【図５】
2014056706.tif 000007
【図６】
2014056706.tif 000008
【図７】
2014056706.tif 000009
【図８】
2014056706.tif 000010
【図１０】
2014056706.tif 000011
【図１１】
2014056706.tif 000012
【図１２】
2014056706.tif 000013
【図１４】
2014056706.tif 000014
【図１５】
2014056706.tif 000015
【図１６】
2014056706.tif 000016
【図９】
2014056706.tif 000017
【図１３】
2014056706.tif 000018
【手続補正書】
【提出日】平成25年5月28日(2013.5.28)
【手続補正１】
【補正対象書類名】明細書
【補正対象項目名】００５５
【補正方法】変更
【補正の内容】
【００５５】
第２のコンデンサＡＣ2，ＢＣ2は、市販品の２端子型コンデンサであり、図４に示すように、トロイダルコイルＡＬ2，ＢＬ2のそれぞれの下のスペースに配置されている。
【手続補正２】
【補正対象書類名】図面
【補正対象項目名】図４
【補正方法】変更
【補正の内容】
【図４】
2014056706.tif 000019
【手続補正３】
【補正対象書類名】図面
【補正対象項目名】図１１
【補正方法】変更
【補正の内容】
【図１１】
2014056706.tif 000020
【手続補正４】
【補正対象書類名】図面
【補正対象項目名】図１４
【補正方法】変更
【補正の内容】
【図１４】
2014056706.tif 000021